Podtech/llm-jp-corpus-v4-ja_patent huggingface dataset:
(57)【要約】【課題】  木造建築物の壁面構造に使用される制震パネルに関し、現場で建物の軸組内空間にはめ込むだけで容易に施工できる制震装置一体パネルを提供する。【解決手段】  本考案の制震装置一体パネルは、構造用単板積層材製の方形枠状の外周フレーム、及び制震装置、を有する制震装置一体パネルにおいて、この外周フレーム１の左右一対の縦枠それぞれの内側面全長に構造用単板積層材製の角材を密着した制震装置取り付け部２を設け、さらに該外周フレーム１の上下一対の横枠の中央部間に構造用単板積層材製の角材を縦に渡して中柱３を設け、粘弾性体固着部を有した面状鋼板製の３基の制震装置４を、前述外周フレーム１内に設けた左右の制震装置取り付け部２及び中柱３に、該横枠と平行になるよう上下に並べてそれぞれを設置しネジで固定して備え付け、外周フレーム１と制震装置４が一体に備わることを特徴とした。【選択図】図４
0003141476.tif 000002
【実用新案登録請求の範囲】
【請求項１】
構造用単板積層材製の方形枠状の外周フレーム、及び制震装置、を有する制震装置一体パネルにおいて、この外周フレームの左右一対の縦枠それぞれの内側面全長に構造用単板積層材製の角材を密着した制震装置取り付け部を設け、さらに該外周フレームの上下一対の横枠の中央部間に構造用単板積層材製の角材を縦に渡して中柱を設け、粘弾性体固着部を有した面状鋼板製の３基の制震装置を、前述外周フレーム内に設けた左右の制震装置取り付け部及び中柱に、該横枠と平行になるよう上下に並べてそれぞれを設置しネジで固定して備え付け、外周フレームと制震装置が一体に備わることを特徴とする制震装置一体パネル。
【考案の詳細な説明】
【技術分野】
【０００１】  本考案は、木造建築物の壁面構造に使用される制震パネルに関する。
【背景技術】
【０００２】  従来より、建物の制震性能を向上させるために、様々な提案がなされている。例えば、特許文献１では、パネル本体と、制震材を備え、柱とともに躯体の開口部を構成する上側の梁と対向するパネル本体の上側の辺には制震材を装着すると共に、下側の梁の２箇所に左右方向に間隔をおいて位置して柱および梁を含む面内におけるパネル本体の回動を許容するべくパネル本体を支持する本体受けを設け、本体受けにパネル本体の下側の辺を載せてパネル本体を開口部に回動可能な余裕をもってはめ込んだ状態において上側の梁との間で制震材を挟み込むことを特徴とする制震パネルが提案されている。
【特許文献１】特許第３３８３５９１号広報
【考案の開示】
【考案が解決しようとする課題】
【０００３】  しかしながら、上述の方法は、制震パネルの取り付けに高度な施工技術や経験を要するため、技術の低い者や未経験者が施工した際、機能に不具合が生じるなどの問題点を有していた。【０００４】本考案は、上記従来有する問題点に鑑み、木造建築物の壁面構造に使用される制震パネルに関し、高度な技術を必要とすることなく、現場で建物の軸組内空間にはめ込むだけで容易に施工できる制震装置一体パネルを提供しようとするものである。
【課題を解決するための手段】
【０００５】  本考案の制震装置一体パネルは、構造用単板積層材製の方形枠状の外周フレーム、及び制震装置、を有する制震装置一体パネルにおいて、この外周フレーム１の左右一対の縦枠それぞれの内側面全長に構造用単板積層材製の角材を密着した制震装置取り付け部２を設け、さらに該外周フレーム１の上下一対の横枠の中央部間に構造用単板積層材製の角材を縦に渡して中柱３を設け、粘弾性体固着部を有した面状鋼板製の３基の制震装置４を、前述外周フレーム１内に設けた左右の制震装置取り付け部２及び中柱３に、該横枠と平行になるよう上下に並べてそれぞれを設置しネジで固定して備え付け、外周フレーム１と制震装置４が一体に備わることを特徴とした。
【考案の効果】
【０００６】  本考案によれば、構造用単板積層材と粘弾性体固着部を有した面状鋼板製の３基の制震装置の組合せが高い制震性能を発揮すると共に、これらを一体化したパネル構造により、現場での高度な技術や複雑な作業を必要としない取り付け施工が期待できる。
【考案を実施するための最良の形態】
【０００７】  以下、本考案の実施の形態について、図面を参照して説明する。
図４に示すように、本考案の制震装置一体パネルは、構造用単板積層材製の方形枠状の外周フレーム、及び制震装置、を有する制震装置一体パネルにおいて、この外周フレーム１の左右一対の縦枠それぞれの内側面全長に構造用単板積層材製の角材を密着した制震装置取り付け部２を設け、さらに該外周フレーム１の上下一対の横枠の中央部間に構造用単板積層材製の角材を縦に渡して中柱３を設け、粘弾性体固着部を有した面状鋼板製の３基の制震装置４を、前述外周フレーム１内に設けた左右の制震装置取り付け部２及び中柱３に、該横枠と平行になるよう上下に並べてそれぞれを設置しネジで固定して備え付け、外周フレーム１と制震装置４が一体に備わることを特徴として成し、木造建築物の躯体に固定して壁面構造に用いられる。
【図面の簡単な説明】
【０００８】
【図１】  本考案に於ける制震装置一体パネルの外周フレームの正面図である。
【図２】  図１に制震装置取り付け部と中柱を加えた正面図である。
【図３】  本考案に於ける制震装置一体パネルの制震装置の配置図である。
【図４】  本考案に於ける制震装置一体パネルの実施例を示した正面図である。
【符号の説明】
【０００９】  １    外周フレーム
２    制震装置取り付け部
３    中柱
４    制震装置
【図１】
0003141476.tif 000003
【図２】
0003141476.tif 000004
【図３】
0003141476.tif 000005
【図４】
0003141476.tif 000006
(57)【要約】【課題】  ティッシュをたくさん収納でき、最後まで取り出しやすいティッシュケースを提供する。【解決手段】  上面にティッシュ５の取り出し口３を設けた下面のない上箱１と、この上箱１と嵌合する下面に指引っ掛け穴４を設けた上面のない下箱２から構成されており、上箱１は下箱２に対し上下方向にスライド可能であり、またひっくり返した下箱２に対しても上下方向にスライド可能であることを特徴とする。【選択図】図１
0003141475.tif 000002
【実用新案登録請求の範囲】
【請求項１】
上面にティッシュの取り出し口を設けた下面のない上箱と、この上箱と嵌合する下面に指引っ掛け穴を設けた上面のない下箱から構成されており、上箱は下箱に対し上下方向にスライド可能であり、またひっくり返した下箱に対しても上下方向にスライド可能であることを特徴とするティッシュケース。
【考案の詳細な説明】
【技術分野】
【０００１】  本考案は、たくさんのティッシュが収納でき、尚且つ最後まで取り出しやすい、上箱と下箱から構成されているティッシュケースに関するものである。
【背景技術】
【０００２】  従来のティッシュケースには、ボックスティッシュが１箱分収納できるものや、ポケットティッシュが５袋分くらいまで収納できるものはあった。また、上箱と下箱の天板との間でティッシュを重ね挟み込むケースが特許文献１，２に記載されている。
【特許文献１】  特開平８−１９８３４８号公報
【特許文献２】  特開２００４−２６２９４号公報
【考案の開示】
【考案が解決しようとする課題】
【０００３】  解決しようとする問題点は、ティッシュが少ししか収納できない点と、ティッシュが少なくなるとティッシュが沈み取り出しにくくなる点である。また、上箱と下箱の天板との間でティッシュを重ね挟み込むティッシュケースの下箱はティッシュの台としての機能しかしておらず、下箱全体がデッドスペースとなってしまっている点である。
【課題を解決するための手段】
【０００４】  本考案は、上面にティッシュ５の取り出し口３を設けた下面のない上箱１と、この上箱１と嵌合する下面に指引っ掛け穴４を設けた上面のない下箱２から構成されており、上箱１は下箱２に対し上下方向にスライド可能であり、またひっくり返した下箱２に対しても上下方向にスライド可能であることを特徴とする。
【考案の効果】
【０００５】  本考案のティッシュケースは、ティッシュ５を下箱２の約２倍の高さまで収納でき、ティッシュ５が減り取りにくくなっても、下箱２をひっくり返すことで最後まで取り出しやすい状態を保つという利点があり、非常に便利である。
【考案を実施するための最良の形態】
【０００６】  以下、本考案の実施の形態について説明する。
上面にティッシュ５の取り出し口３を設けた下面のない上箱１と、この上箱１と嵌合する下面に指引っ掛け穴４を設けた上面のない下箱２から構成されており、上箱１は下箱２に対し上下方向にスライド可能であり、またひっくり返した下箱２に対しても上下方向にスライド可能である。【０００７】  また、ティッシュ５の最大収納量は、上箱１と下箱２の高さ寸法と比例するが、ポケットティッシュの最大収納量が約１３袋分、または、ボックスティッシュの最大収納量が約５箱分の場合、下箱２の高さ寸法と奥行き寸法が等しくなるため、上箱１は横向きにした下箱２に対しても上下方向にスライド可能である。
本考案は以上のような構造である。【０００８】  本考案を使用するときは、下箱２にティッシュ５を下箱２の高さの約２倍の高さまで積み重ね、上箱１を被せる。この状態が図２及び図３の満タン状態である。【０００９】  この満タン状態から、ティッシュ５を取り出すと上箱１が下へスライドし、ティッシュ５と取り出し口３が密着することにより、常に取り出しやすい状態を保つ。ティッシュ５を取り出し続けていくと、上箱１が地に着き下へのスライドが止まり、ティッシュ５と取り出し口３の間に空間ができ、やがて図４の取り出しにくい状態となる。【００１０】  そうなったら、本体全体をひっくり返し、次に下箱２の指引っ掛け穴４に指を引っ掛け下箱２を引き抜き、ひっくり返し入れなおす。最後に本体全体をひっくり返し元に戻すと、また図２及び図５の満タン状態と同様に取り出しやすい状態となり、最後まで取り出しやすい状態を保つ。【００１１】  下箱２の高さ寸法と奥行き寸法が等しい場合は、下箱２を横向きにし、その上にティッシュ５を下箱２の高さの約２倍の高さまで積み重ね、上箱１を被せても、満タン状態と同様に取り出しやすい状態となる。また、下箱２の横からの物の出し入れもできるので、図６のようにストックスペースなどに利用することもできる。【００１２】  尚、ティッシュ５とはポケットティッシュまたはボックスティッシュを示すものとする。また、図１〜図６はポケットティッシュの最大収納量が約１３袋分のティッシュケースを示し、図７はボックスティッシュの最大収納量が約５箱分のティッシュケースを示す図である。
【図面の簡単な説明】
【００１３】
【図１】本考案の構成を示す分解斜視図である。
【図２】本考案の満タン状態及び下箱をひっくり返した状態を示す斜視図である。
【図３】本考案の満タン状態を示す側面断面図である。
【図４】本考案の取り出しにくい状態を示す側面断面図である。
【図５】本考案の下箱をひっくり返した状態を示す側面断面図である。
【図６】本考案の下箱を横向きにしストックした状態を示す斜視図である。
【図７】本考案のボックスティッシュに活用した場合の使用状態を示す斜視図である。
【符号の説明】
【００１４】  １    上箱
２    下箱
３    取り出し口
４    指引っ掛け穴
５    ティッシュ
【図１】
0003141475.tif 000003
【図２】
0003141475.tif 000004
【図３】
0003141475.tif 000005
【図４】
0003141475.tif 000006
【図５】
0003141475.tif 000007
【図６】
0003141475.tif 000008
【図７】
0003141475.tif 000009
(57)【要約】      （修正有） 【課題】不等辺三角形の収納シートカバーを用いて、車両内の品物を固定し、シートの汚れも防止をする。【解決手段】不等辺三角形の収納シートカバー１各頂点にワンタッチバックル３付きベルトを設けた物と三本のワンタッチバックル付きアンカーベルトから成る。ヘッドレスト、アシストグリップなどにアンカーベルトを固定し、不等辺三角形の収納シートカバーで品物を包み込む物である。不等辺とベルト長さ、止める位置などで、包み込む品物の大きさ、形状にフレキシブルに対応する。【選択図】図１
0003141480.tif 000002
【実用新案登録請求の範囲】
【請求項１】
それぞれの頂点に雄又は雌のいずれか一方のワンタッチバックルを備えたベルトを取り付けた不等辺三角形のシートカバーと、前記ワンタッチバックルに対応する他方を備えた三本のアンカーベルトからなることを特徴とする収納シートカバー。
【考案の詳細な説明】
【技術分野】
【０００１】
本考案は、それぞれの頂点にワンタッチバックル付きベルトを取り付けた不等辺三角形の収納シートカバーに関するものである。
【背景技術】
【０００２】
車両シート上に大きい物では、車椅子などを車両シート上に載せている。小さい物では、スーパーなどで買い物をした場合、買い物袋をシート上に載せて移動している。
【考案の開示】
【考案が解決しようとする課題】
【０００３】
車両シート上に品物を載せた場合、シートを汚したり、コーナリング時やブレーキ時などに品物が不安定で転落、転倒したりする場合もある。従って、大きさも形も違う品物を包み込み固定する必要があった。しかも、必要な時以外は、簡単に取り外せ収納に困らない事が求められた。
【課題を解決するための手段】
【０００４】
本考案は、それぞれの頂点に雄又は雌のいずれか一方のワンタッチバックルを備えたベルトを取り付けた不等辺三角形の収納シートカバーと、前記ワンタッチバックルに対応する他方を備えた三本のアンカーベルトからなることを特徴とし、車両のヘッドレスト、アシストグリップなどにアンカーベルトを固定し、三角形の収納シートカバーで品物を包み込む物である。
【考案の効果】
【０００５】
不等辺三角形とベルト長さ、バックルの位置などで、包み込む品物の大きさ、形状にフレキシブルに対応でき、シート上の品物を固定できる。
【考案を実施するための最良の形態】
【０００６】
同じ物を同じところに繰り返し載せる場合、三点のワンタッチバックルのうち二点はワンタッチバックル雄（４）とワンタッチバックル（５）を予めセットし、通常は一点のワンタッチバックルを留めるだけでとても簡単に包み込むことができる。もちろん、脱着もワンタッチバックル三点を外すだけと簡単で、収納シートカバーは折りたたみコンパクトに収納できる。
図１は、本体は不等辺三角形をした防水シート生地で各頂点にワンタッチバックル付きのベルトが取り付けられている収納シートカバーである。
図２は、ヘッドレストやアシストグリップに取り付ける三本のワンタッチバックル付きアンカーベルトである。
図３は、後席に取り付けた状態を示す図である。スーパーの買い物袋などを包み込む場合である。
図４は、助手席に折りたたみ手動車椅子を載せシートカバーで包んだ状態を示す図である。
【図面の簡単な説明】
【０００７】
【図１】不等辺三角形の収納シートカバーの平面図
【図２】アンカーベルトの斜視図
【図３】収納シートの使用時の一例を示す図
【図４】収納シートの使用時の一例を示す図
【符号の説明】
【０００８】
１  不等辺三角形の収納シートカバー
２  アンカーベルト
３  ワンタッチバックル雄
４  ワンタッチバックル雌
５  アシストグリップ
６  後席シート
７  助手席シート
８  折りたたみ車椅子
９  長さ調整バックル
【図１】
0003141480.tif 000003
【図２】
0003141480.tif 000004
【図３】
0003141480.tif 000005
【図４】
0003141480.tif 000006
(57)【要約】      （修正有）【課題】集塵が飛散せず速やかに出来て切削抵抗を少なくできる縦型集塵切削カッターの提供。【解決手段】本体の原動部によって回転する駆動軸に回転体を設け、この回転体は複数の板状の外周部先端に切削具を配設したものを均等間隔にずらして固定し、回転体を回転させることにより、被切削物を切削するものである、回転体を回転させることにより、外周部先端の切削具が被切削物に間隔がずれて当たることにより、被切削物を細かく切削し、粉塵を飛散させずに一定方向に粉塵を集約させるカバー部材を本体に設ける。また本体に取り付けているカバー部材の水平基板と駆動軸に取り付けている回転体の外周部の切削具の隙間を狭くする。【選択図】図２
0003141473.tif 000002
【実用新案登録請求の範囲】
【請求項１】
本体の原動部によって回転する駆動軸を設ける。この前記駆動軸に回転体を設け、この前記回転体は複数の板状の外周部先端に切削具を配設したものを均等間隔にずらして固定し、前記回転体を回転させることにより、被切削物を切削する切削機械において、
前記回転体を回転させることにより、外周部先端の切削具が被切削物に間隔がずれて当たることにより、被切削物を細かく切削し、粉塵を飛散させずに一定方向に集塵させるカバー部材を本体に設け、前記本体の原動部によって回転する前記駆動軸にかかる抵抗を減少させることを特徴とする縦型集塵切削カッターである。
【請求項２】
前記回転体の回転方向は下から上の反時計回りの前記回転体を押しながら使用することにより、被切削物を前記カバー部材の水平基板と前記回転体の切削具に挟み込んで切削することを特徴とする前記請求項１に記載の縦型集塵切削カッターである。
【請求項３】
前記本体に設けられた前記カバー部材は前記回転体を確実に包囲し、前記回転体の切削具により切削された粉塵を周囲に飛散させずに、後方の一定方向に集塵させることを特徴とする前記請求項１に記載の縦型集塵切削カッターである。
【請求項４】
前記本体に設けられた前記カバー部材は水平基板、深さ調整基板、集塵ホース接続口からなり、左右の切削バランスと一定の深さを維持できることを特徴とする前記請求項１に記載の縦型集塵切削カッターである。
【考案の詳細な説明】
【技術分野】
【０００１】  本考案は、切削作業に伴う、切削作業の省力化と高効率。切削作業者の安全と負担軽減をする装置に関する。
【背景の技術】
【０００２】  建築構造物の新築、改修工事において、被切削物の対象であるコンクリート面の塗材や外壁面の塗材の切削作業には、ハンドタイプの電動工具と集塵機が主に使用されている。
【考案が解決しようとする課題】
【０００３】  環境問題の重視により、作業者はもちろん、作業者周辺、そして作業場所の周辺への配慮が常識化となり、さまざまな工具や工法を採用して工事は行われている。従来より横回転のカップ型切削具が使用されているのが主流であるが、年々塗材の変化や工法の変化によって、塗材が厚い、柔らかい等の状況になり、効率が上がらず苦労しているのが現実である。従来の横型工具から縦型工具にすることにより、切削抵抗が少なくなり省電力で高効率の作業ができることを特徴とする。
【０００４】  この考案は、駆動軸に取り付ける回転体と本体に設けたカバー部材をオフセットに取りつけることを利用して粉塵の飛散防止と集塵を速やかにすることを特徴とする。
【０００５】  この考案は、本体に設けられたカバー部材に取り付けられている水平基板と深さ調整基板により、塗材を左右均等に一定の厚みで切削していくことを特徴とする。
【０００６】  この考案は、駆動軸に取り付けている複数からなる回転体の外周部位の切削具は対摩耗性に優れている対摩耗層を取り付けていることを特徴とする。
【０００７】  この考案は、駆動軸に取り付けている回転体を均等にずらして固定することにより、駆動軸にかかる抵抗を削減することを特徴とする。
この考案は、駆動軸に取り付けている回転体を均等にずらして固定することにより、切削した粉塵を一定方向に集約して、集塵を速やかにすることを特徴とする。
【０００８】  この考案は、本体に取り付けているカバー部材の水平基板と駆動軸に取り付けている回転体の外周部の切削具の隙間を狭くすることにより、切削抵抗を少なく速やかにできることを特徴とする。
【考案を実施するための最良の形態】
【０００９】  本考案の縦型集塵切削カッターは、本体原動部に取り付けられたカバー部材の中に、複数枚で外周部先端に切削具の付いている回転体を取り付け、被切削物の種類により、深さや水平度を保ちながら切削作業ができ、集塵効果や作業の高効率を行うことができる。
【実施例１】
【００１０】  以下、本考案の縦型集塵切削カッターの実施例を、添付した図１〜図２にしたがって説明する。図１は、本体原動部▲１▼に本考案のカバー部材を取り付けた右側面図である。
図２は、複数枚から構成された回転体▲８▼の外周部位に研削具▲９▼取り付けた回転体の右斜め側面図である。
【考案の効果】
【００１１】  本考案の縦型集塵切削カッターは、以上説明をしてきたとうり、従来より横回転のカップ型切削具が使用されているのが主流であるが、年々塗材の変化や工法の変化によって、塗材が厚い、柔らかい等の状況になり、効率が上がらず苦労しているのが現実である。従来の横型工具から縦型工具にすることにより、省電力で高効率の作業ができる。また作業者の肉体的な疲労度や作業効率におおいに寄与できる。
【図面の簡単な説明】
【００１２】
【図１】は本体原動部に、カバー部材を取り付けた斜め右側面である。
【図２】は本体原動部に取り付ける回転体とカバー部材の構成正面図である。
【符号の説明】
▲１▼  本体原動部
▲２▼  回転軸
▲３▼  固定ハンドル
▲４▼  水平基板
▲５▼  深さ調整基板
▲６▼  集塵ホース口
▲７▼  回転体脱着カバー
▲８▼  回転体
▲９▼  切削具
【図１】
0003141473.tif 000003
【図２】
0003141473.tif 000004
(57)【要約】      （修正有）【課題】鉄道模型用レールクリーニング装置において、走行しながらレールから車輪を通して給電された電力を使い清掃装置と走行装置を駆動し、汚れた線路の上でも接触不良により電気抵抗が増加し停止することを防止する。【解決手段】鉄道模型用レールクリーニング装置１に乾電池または充電式電池を搭載し、自己電源２により汚れた線路上でも停止せずに走行およびレールの清掃を行なう。【選択図】図１
0003141474.tif 000002
【実用新案登録請求の範囲】
【請求項１】
鉄道模型用レールクリーニング装置に自己電源を持つことを特徴とする鉄道模型用自己電源式自走レールクリーニング装置。
【請求項２】
前記鉄道模型用レールクリーニング装置は、無線誘導装置を搭載し鉄道模型用レールクリーニング装置の動作を制御できることを特徴とする請求項１記載の鉄道模型用レールクリーニング装置。
【考案の詳細な説明】
【技術分野】
【０００１】  この考案は、鉄道模型用レール清掃を行うレールクリーニング装置に関する。
【背景技術】
【０００２】  従来の鉄道模型用レールクリーニング装置は、レール５に給電された電力を利用し走行しながら走行用車輪３を通して給電することで清掃装置４と走行用モータ７を駆動していた。
【考案の開示】
【考案が解決しようとする課題】
【０００３】  しかしながら、以上の技術によれば、表面が汚れ清掃が必要なレールでは車輪とレールの間の接触不良により電気抵抗が大きくなるため、走行に必要なレールからの給電９が不安定になりレールクリーニング装置が停止してしまうため、レールクリーニングが続けられなくなることがあった。そこで、この考案は、表面が汚れたレール上でも停止することのない鉄道模型用レールクリーニング装置を提供することを課題とする。
【課題を解決するための手段】
【０００４】  以上の課題を解決するために、第一考案は、鉄道模型用レールクリーニング装置に乾電池または充電式電池を搭載し自己電源２を持つことを特徴とする鉄道模型用自己電源式自走レールクリーニング装置である。
また、第二考案は、第一考案の鉄道模型用自己電源式自走レールクリーニング装置に電波または赤外線などによる無線誘導装置６により動作を制御できることを特徴とする鉄道模型用自己電源式自走レールクリーニング装置である。
【考案の効果】
【０００５】  第一考案、または第二考案によれば、清掃が必要な汚れたレール５の上でレールクリーニング車両１とレール５の間の電気抵抗が増えても自己電源２により給電されるため停止せずに走行および清掃を行なう。
【考案を実施するための最良の形態】
【０００６】  この考案の一実施形態を、図１に示す。
鉄道模型用自己電源式自走レールクリーニング装置はレールクリーニング車両１に自己電源２を搭載し走行用モータ７と走行用車輪３により走行し、清掃装置４を駆動することで走行しながらレール５のクリーニングを行なう。
【実施形態の効果】
【０００７】  この実施形態によれば、鉄道模型用自己電源式自走レールクリーニング装置は自己電源２を使用し走行することにより、レールからの給電が不安定なレール５の上でも停止することなく走行することが可能になり、レールの清掃が容易になる。また、無線誘導装置６を用いることでレールクリーニング車両１の走行および清掃の制御が可能になる。
【他の実施形態】
【０００８】図１の実施形態では１両のみだが、やすり、吸引式掃除機、湿式、乾式などの清掃装置を組み込んだ車両を多数連結し運行することで清掃効果があがる。
【図面の簡単な説明】
【０００９】
【図１】この考案の実施形態を表す図である。
【図２】従来技術を示す図である。
【符号の説明】
【００１０】  １  レールクリーニング車両
２  自己電源
３  走行用車輪
４  清掃装置
５  レール
６  無線誘導装置
７  駆動装置
８  電気配線
９  レールからの給電
【図１】
0003141474.tif 000003
【図２】
0003141474.tif 000004
(57)【要約】      （修正有）【課題】塗装用ハンドローラーの支えを複数にする事により、握る手に掛かっている負担を軽減させる。【解決手段】塗装用ハンドローラー握り手の補助具であって、腕に固定する部材１と、前述の腕に固定する部材に取り付けられる自在に動く複数の部品２と、前述の自在に動く複数の部品に接続された、ハンドローラー接続部材３を有することを特徴とする。【選択図】図１
0003141455.tif 000002
【実用新案登録請求の範囲】
【請求項１】
塗装用ハンドローラーの握り手の補助具であって、腕に固定する部材と、前述の腕に固定する部材に取り付けられる自在に動く複数の部品と、前述の自在に動く複数の部品に接続された、ハンドローラー接続部材を有することを特徴とする塗装用ハンドローラー握り手の補助具。
【考案の詳細な説明】
【技術分野】
【０００１】  本考案は、塗装用ハンドローラー握り手の補助具に関する。
【背景技術】
【０００２】  従来、塗装用ハンドローラーは、ハンドルの握り手を片手もしくは両手で握ることのみによって支えるものしか普及していない。
【考案の開示】
【考案が解決しようとする課題】
【０００３】  従来の塗装用ハンドローラーは、ハンドルの握り手を握ることのみによって支えるので、握る手に多大な負担が掛かり、大きなローラーを使用しての作業や、長時間の作業の場合作業効率が低下する。【０００４】  本考案はこのような点を鑑みて成されたものであり、その目的は塗装用ハンドローラーの支えを複数にする事により、握る手に掛かっていた多大な負担を軽減し、作業効率を向上させることである。
【課題を解決するための手段】
【０００５】  上記の目的を達成する本考案の塗装用ハンドローラー握り手の補助具は、腕に固定する部材と、前述の腕に固定する部材に取り付けられる、自在に動く複数の部品及び、前述の自在に動く複数の部品に接続されたハンドローラー接続部材を有することを特徴とする。
【考案の効果】
【０００６】  以上説明したように、本考案によれば腕に固定された塗装用ハンドローラー握り手の補助具を塗装用ハンドローラーに接続することで、支えを複数とすることが可能となる。この握り手補助具を使用することによって、握る手に掛かっていた多大な負担が軽減されるので、大きなローラーを使用しての作業や、長時間の作業の場合にも極めて有効である。
【考案を実施するための最良の形態】
【０００７】  以下、本考案の実施の形態を図面に基づき詳細に説明する。【０００８】  図１〜図２は本考案の第一の実施の形態に係り、図１はその正面図。図２はその側面図である。【０００９】  図１、図２に示すように、本塗装用ハンドローラー握り手の補助具６は、腕に固定する部材１に、自在に動く複数の部品２が接続され、さらに、ハンドローラー接続部材３が接続されたものである。【００１０】  腕に固定する部材１には、クッション材５が取り付けられ、固定用バンド４によって、自在の位置に固定できる。
【産業上の利用可能性】
【００１１】  本考案は、塗装工事業者及び、一般ＤＩＹ塗装に関する販売の分野で利用することができる。
【図面の簡単な説明】
【００１２】
【図１】  本考案の第一の実施の形態に係る。塗装用ハンドローラー握り手の補助具の正面図である。
【図２】  図１の塗装用ハンドローラー握り手の補助具の側面図である。
【符号の説明】
【００１３】  １      腕に固定する部材
２      自在に動く複数の部品
３      ハンドローラー接続部材
４      固定用バンド
５      クッション材
６      塗装用ハンドローラー握り手の補助具
【図１】
0003141455.tif 000003
【図２】
0003141455.tif 000004
(57)【要約】【課題】  本考案はポリプロピレンのシートの四隅に吸盤を取り付け手軽にどこでも、又衛生的にパンなどの生地をこねたり、のばしたりできるものである。【解決手段】  本考案は軽くて衛生的なポリプロピレンのシートに吸盤を取り付けることにより調理台やテーブルの上に本シートを貼り付けパン作りの一連の作業が手軽にできる。【選択図】図２
0003141457.tif 000002
【実用新案登録請求の範囲】
【請求項１】
ポリプロピレンの薄いシートの四隅に吸盤を設け、これをテーブルの上に貼り付け、パン、クッキー、うどん、そば、餃子の皮等の生地作りの際にこねたり、たたいたり、のばしたりする成形を衛生的に又手軽に作業が出来るようにしたパン生地のこねシート
【考案の詳細な説明】
【技術分野】
【０００１】  本考案はポリプロピレンの薄いシートの四隅に吸盤を取り付けたパン生地などのこね板である。
【背景技術】
【０００２】  パンなどの生地をのばしたり、たたいたり、成形の作業は専用の作業台か重い大理石の板等を使っている。
【考案の開示】
【考案が解決しようとする課題】
【０００３】  専用の作業台を置くには費用も掛かり、広いスペースも必要になる。また大理石の板では重く、持ち運びに負担が掛かってしまう為本考案のポリプロピレンの薄いシートならこれらの欠点を解決するものである。
【課題を解決するための手段】
【０００４】  本考案は耐薬品性、耐水性に優れ、熱に強く煮沸ができるポリプロピレンを使う事により衛生的でより手軽にパン等の生地をこねる作業がどこでもスムーズに行えるものである。
【考案の効果】
【０００５】  ポリプロピレンのシートの四隅に吸盤を取り付け調理台の上やテーブルの上などの平らな所であれば吸盤を貼り付けパン生地などをこねる作業が衛生的にまた手軽に使えて大変便利である。
【考案を実施するための最良の形態】
【０００６】  本考案はポリプロピレンのシートの四隅に取り付けた吸盤を調理台やテーブルの上に貼り付けてその上にパンなどの生地を広げ丸めたり、たたいたりなどの成形作業をするまた、ポリプロピレンのシートは作業後熱湯消毒ができるので衛生的であり、丸めて収納することもできるので便利である。
【実施例】
【０００７】  以下、添付図面に従って実施例を説明する。１は耐薬品性、耐水性に優れたポリプロピレンのシート本体、２はシートをテーブルなどに密着させるための吸盤で本体に取り付けてシートを固定させるものである。
【図面の簡単な説明】
【０００８】
【図１】本考案のパンこねシートの正面図である。
【図２】本考案のシートの断面図である。
【符号の説明】
【０００９】１シート本体
２吸盤
【図１】
0003141457.tif 000003
【図２】
0003141457.tif 000004
(57)【要約】【課題】  屋外の壁面や窓などに貼り付けられ、広告として利用される看板やポスターに用いられる、インクジェットプリンターなどで印刷が可能な合成樹脂製印刷シートにおいて、安価で燃焼時に排出されるＣＯ２の量を削減できる合成樹脂製印刷シート。【解決手段】    インクジェットプリンターなどで表面に印刷が可能な合成樹脂製フィルムに、炭酸カルシウムを５５〜８５％含有した合成紙シートを積層してなる合成樹脂製印刷シート、および、該合成紙シートの裏面に感圧接着剤層を設けてなる該合成樹脂製印刷シート。【選択図】図１
0003141459.tif 000002
【実用新案登録請求の範囲】
【請求項１】
インクジェットプリンターなどで表面に印刷が可能な合成樹脂製フィルムに、炭酸カルシウムを５５〜８５％含有した合成紙シートを積層したことを特徴とする合成樹脂製印刷シート。
【請求項２】
該合成紙シートの裏面に感圧接着剤層を設けた請求項１記載の合成樹脂製印刷シート。
【考案の詳細な説明】
【技術分野】
【０００１】  本考案は、屋外での広告として壁面や窓に掲示される看板やポスター用途に使用される、大型インクジェットプリンターなどで印刷が可能な合成樹脂製印刷シートに関する。
【背景技術】
【０００２】  屋外の壁面や窓などに貼り付けられ、広告として利用される看板やポスターは、古くはペンキなどで板に描画されたものであるが、近年はスクリーン印刷やオフセット印刷の他、大型インクジェットプリンターで合成樹脂フィルムに印刷されるものが普及している。中でも１枚単位での制作が可能なインクジェットプリンターによる看板・ポスターの制作は需要が高い。
ところで、とりわけ看板用の材料として主に使用されているのは、塩化ビニールもしくはユポ等の名称で広く知られるポリエチレン、ポリプロピレンを主原料とした合成紙シートである。これらは水に濡れても劣化せず、印刷適性も良好であるので幅広く利用されている。
しかし、京都議定書をはじめとする国際的なＣＯ２排出抑制が叫ばれる世の中において、頻繁に交換・廃棄される看板材が焼却時に発生するＣＯ２の削減も社会的な課題のひとつと言える。特に塩化ビニールは燃焼の際にダイオキシンが発生する疑いが指摘されており、企業や自治体においては敬遠されやすい素材である。さらに合成紙シートは高価であり、看板材として必要な厚みのものを使用すると制作コストが高くついてしまうと言う欠点がある。
【考案の開示】
【考案が解決しようとする課題】
【０００３】  本考案は、インクジェットプリンターなどで印刷が可能な合成樹脂製シートであって、安価で、燃焼時に排出されるＣＯ２の量を削減できる合成樹脂製印刷シートを提供することを目的とするものである。
【課題を解決するための手段】
【０００４】  本考案者は、炭酸カルシウムの含有量が多い合成紙シート（以下、合成紙という）は、従来の合成紙に比べて安価で、燃焼時にＣＯ２の排出量が削減されるということに着目し、この合成紙に印刷可能な合成樹脂フィルムを積層することでインクジェットプリンター等での印刷が可能な印刷シートとしての機能を有する知見から本考案をなすに至った。
すなわち、本考案は、
（１）インクジェットプリンターなどで表面に印刷が可能な合成樹脂フィルムに、炭酸カルシウムを５５〜８５％含有した合成紙シートを積層したことを特徴とする合成樹脂製印刷シート、
（２）該合成紙シートの裏面に感圧接着剤層を設けた（１）記載の合成樹脂製印刷シート、を提供するものである。
【考案の効果】
【０００５】  本考案の合成樹脂製印刷シートは、樹脂成分量が少ない合成紙を構成材料の主要材とすることで、燃焼時のＣＯ２排出量が従来の合成紙を用いた合成樹脂製印刷シートに比べて大幅に削減できる。また、主要材である炭酸カルシウムの含有量が多い合成紙は、従来の合成紙に比べて価格が安く、看板やポスター制作のコストダウンにもつながる。さらに、炭酸カルシウムの含有量が多い合成紙は熱によるカールにも従来の合成紙に比べて強く、屋外で炎天下にさらされた場合にも耐候性が向上する。
【考案を実施するための最良の形態】
【０００６】  図１は、本考案の合成樹脂製印刷シートの一態様の断面図である。
合成樹脂フィルム１は、表面にインクジェットプリンターでの印刷が可能となる印刷用コーティング層３をあらかじめ施したもので、耐候性、印刷適性にすぐれたポリエステルなどが最適であるが、インクジェットプリンターでの印刷に対応したコーティングが施されてあればポリプロピレン、ポリスチレンなど任意の合成樹脂フィルムを適宜選択することができる。厚みは５０〜１５０μｍ範囲が実用的であり、用途に応じて設定すればよい。
合成紙は、炭酸カルシウムを５５〜８５％含有したもので、厚みは８０〜２５０μｍの範囲で選択される。看板用途としては、ある程度の剛性がある方が壁面への取り付けが容易となるので、例えば合成樹脂フィルムと合成紙合わせて２００μｍ程度の厚みになるように組み合わせるのが好適である。
合成樹脂フィルムと合成紙の積層については、ドライラミネートによる貼り合わせが好適で、ロール状の合成樹脂フィルムと合成紙を貼り合わせ、必要な幅に切り揃えることでインクジェットプリンターに対応したフィルムロールに加工することができる。こうすれば長尺の看板にも対応することが可能となる。【０００７】  図２は、請求項２に基づく、本考案の合成樹脂製シートの一態様の断面図である。感圧接着剤層４は、グラビア方式、あるいはコーター方式など一般的な接着剤を塗布する技術が用いられるが、使用する感圧接着剤に制限はない。例えば、アクリル系感圧接着剤、ウレタン系感圧接着剤など、被着される壁面などの材質に合わせて適宜選択される。
剥離紙５は、感圧接着剤を該合成樹脂製印刷シートに塗布した後、壁面などに貼り付けられるまでの過程で感圧接着剤層を保護する目的で用いられるが、剥離紙の材質に制限はない。感圧接着剤に接触する側の面にシリコーン、フッ素樹脂などをコーティングしたフィルムおよび紙などが用いられる。剥離紙は、壁面や窓などに貼り付けられる際に使用者により剥される。
【図面の簡単な説明】
【０００８】
【図１】本考案の合成樹脂製印刷シートの一態様の断面図である。
【図２】本考案の合成樹脂製印刷シートに、感圧接着剤層を設けた態様の断面図である。
【符号の説明】
【０００９】１  合成樹脂フィルム
２  合成紙シート
３  印刷用コーティング層
４  感圧接着剤層
５  剥離紙
【図１】
0003141459.tif 000003
【図２】
0003141459.tif 000004
(57)【要約】      （修正有）【課題】誤ってこぼしてしまうなどのトラブルが防げ、きれいに移し替えが終了することができるロートを提供する。【解決手段】移し替え専用ロートとカバープラスチック部分を使用することによって移し替えの時間が早くする。【選択図】図１
0003141454.tif 000002
【実用新案登録請求の範囲】
【請求項１】
移し替え用のシャンプー、リンス、ボディシャンプー等をスムーズに容器に移し変えるために、下部をカットしたロートと、ロートを容器にしっかり安定させるカバープラスチック部分を組み合わせ使用する事を特徴とする移し替え用組み立てロート
【考案の詳細な説明】
【技術分野】
【０００１】  本考案は、移し替え用のシャンプー、リンス、ボディシャンプー等の容器移し変えに関するものである。
【背景技術】
【０００２】  最近はリサイクルの観点からも、移し替え用のシャンプー、リンス、ボディシャンプーを購入する機会が増えている。
【考案の開示】
【考案が解決しようとする課題】
【０００３】  どの製品も、カットする部分は明示されてはいるが、実際移し変える時は、終始注意力が必要である。こぼさないように全部を入れるには、多少の時間も必要であるし残りの部分をなるべく全部入れてしまおうと、神経をそちらに向けていると思わぬ方向に流れていたりする。
【課題を解決するための手段】
【０００４】  なるべくスムーズに移し変えるため、最初かなりの強い力で押し出しても充分対応が出来るように通常のロート下部を大きくカットしました。ロートを容器にしっかり安定させるカバープラスチック部分を組み合わせ使用する事で、ロートと容器は安定し、安心して注ぎ入れる事ができる。
【考案の効果】
【０００５】  上述の様な構造により、一番の利点は両手を上手に使い効果的に移し変えることが出来る点です。片手に移し替え用パック持ち、片手で容器を支えということは全く不要です。残り少なくなった時点では、移し替え用パックを上手に丸めていって、なるべくきれいに移し終えることが可能となります。最後に、ロートを洗う点を考慮するとシャンプー等の付着が最低限に出来る事がありがたいですし、収納面では、小型である事が利点となります。
【考案の実施するための最良の形態】
【０００６】  これから移し替えようとする空き容器の、ポンプ式口ねじ部分を左回転でゆるめ、横に取り置き、ロート部分を開いた口の部分に置き、カバープラスチック部分を組み合わせます。
【実施例】
【０００７】  以下、添付図面に従って一実施例を説明する。１は、購入したシャンプー、リンス、ボディシャンプー等を移し替えようとする空き容器。２は、通常ロートの下部を大きくカットした移し替え専用ロート。３は、カバープラスチック部分である。準備が整い移し替えをスタートさせると、動作としては簡単明瞭に溶液をロートに移す事に集中させれば良く、こぼしてしまうという心配は払拭され、スピーディーに移し替えが終了する。
【図面の簡単な説明】
【０００８】
【図１】本考案の移し替え用組み立てロートの一実施例を示す正面図である。
【図２】移し替え用組み立てロートの上面図である。
【符号の説明】
【０００９】  １  空き容器
２  移し替え専用ロート
３  カバープラスチック部分
【図１】
0003141454.tif 000003
【図２】
0003141454.tif 000004
(57)【要約】      （修正有）【課題】手持ち道具を減らして、作業手順を省き工程効率を改善する仮止め粘着糊付スケールテープを提供する。【解決手段】仮止めテープに直接目盛を付ける事によって他の筆記用具、スケールの機能を兼用させ作業の手順と効率を大幅に改善出来る。【選択図】図１
0003141458.tif 000002
【実用新案登録請求の範囲】
【請求項１】
塗装のマスキングや仮の位置決めに使用される通称マスキングテープに、スケールの表示を施したテープ。
【考案の詳細な説明】
【技術分野】
【０００１】  本考案は、作業の位置決め、寸法取りの作業効率に関する
【背景技術】
【０００２】  従来の位置決め作業では仮止めテープ、筆記用具、スケール等が必要であった。
【考案の開示】
【考案が解決しようとする課題】
【０００３】  手持ちの道具を減らして手順を省く事により作業効率が大幅に改善される。
【考案が解決しようとする手段】
【０００４】  仮止めテープに目盛を付ける事によって他の道具機能を兼用させる。
【考案の効果】
【０００５】  よって本考案の仮止め粘着糊付きスケールテープによって、手持ちの道具を減らして手順を省く事により作業効率が大幅に改善される。
【考案を実施するための最良の形態】
【０００６】  本考案の仮止め粘着糊付きスケールテープはどの位置でカットしても使える様に数字は基本的に配置せず、目盛りラインで表示する。又スケールの機能も配慮して比較的伸びが少なく、手で自由にカット出来る紙製品、一般にマスキングテープと呼ばれる素材が最良で、使用後の使い捨ての利便も期待できる。
【図面の簡単な説明】
【０００７】
【図１】  本考案の仮止め粘着糊付きスケールテープの全体姿図。
【符号の説明】
【０００８】１        目盛り表示面
２        弱粘着糊面
【図１】
0003141458.tif 000003
(57)【要約】      （修正有）【課題】洋式便器トイレにて、男性が正立姿勢にて排尿する際、尿飛散防止カバーを持ち上げ広げて尿飛散防止する。【解決手段】洋式便器での男性が正立姿勢における排尿の場合、洋式便器トイレの便器または便座に、吸盤や粘着テープ等で簡単に装着できる固定枠と、伸縮自在の支柱に支持される持ち上げ枠で構成され円筒形のビニール製尿飛散防止カバーで尿の飛散を予防する。尿飛散防止カバーは着脱可能に付設でき、取り換え交換で衛生的に使用できる。【選択図】図１
0003141496.tif 000002
【実用新案登録請求の範囲】
【請求項１】
洋式便器の器台に、着脱可能に付設できる「固定枠」と、伸縮自在の支柱に支持される「持ち上げ枠」と、「固定枠」と「持ち上げ枠」間を覆う着脱可能なビニールカバーからなる尿飛散防止装置。
【請求項２】
洋式便器の便座に、着脱可能に付設できる「固定枠」と、伸縮自在の支柱に支持される「持ち上げ枠」と、「固定枠」と「持ち上げ枠」間を覆う着脱可能なビニールカバーからなる尿飛散防止装置。
【請求項３】
洋式便器の器台に、着脱可能に付設できる「固定枠」と、伸縮自在の円筒に支持される「持ち上げ枠」からなる尿飛散防止装置。
【請求項４】
洋式便器の便座に、着脱可能に付設できる「固定枠」と、伸縮自在の円筒に支持される「持ち上げ枠」からなる尿飛散防止装置。
【考案の詳細な説明】
【技術分野】
【０００１】
本考案は、洋式便器トイレにて尿飛散防止に関する。
【背景技術】
【０００２】
近年、家庭にあるトイレには洋式便器が１個設置されるのが普通であり、糞尿兼用に使用されている。従って、男性が正立姿勢で排尿する場合には便座を持ち上げ比較的高い位置から洋式便器内に向かって排尿する。
現状の尿飛散装置は、使用時に便器へ設置しなければならない着脱式や、便器そのものを変形させたものや、大掛かりな装置で可動式にしたものなどで、現状の洋式便器に簡易に取り付けができ、便器と便座の間または便座と蓋の間などに収納することができるものは出現されていない。
【考案の開示】
【考案が解決しようとする課題】
【０００３】
洋式便器トイレにて、男性が正立姿勢にて排尿する際、尿が便器外に飛散する場合があるが、多くの尿飛散防止装置は、使用時に設置する着脱式で、使用後の保管場所が必要となる。また、便器そのものの形を変形させて尿飛散を防止するものなど、大掛かりな装置または施工にて尿飛散を防止する装置しかない。
また排出物にて汚染されやすいものであるにも関わらず、簡易に取り換え交換できるものはない。
【課題を解決するための手段】
【０００４】
洋式便器の器台に、着脱可能に付設できる「固定枠」と、伸縮自在の支柱に支持される「持ち上げ枠」と、「固定枠」と「持ち上げ枠」間を覆うビニールカバーからなる尿飛散防止装置により、収納時は折り畳み平らにして、便座下などに収納でき、使用時は持ち上げ伸ばすだけで使用できる。また着脱可能なビニールカバーを交換することにより、衛生的に使用できる。
【考案の効果】
【０００５】
本考案の尿飛散防止装置は、男性が正立姿勢にて排尿する際、便座下または便座上に折り畳まれて収納されている尿飛散防止装置を、持ち上げ伸ばすことにより、尿飛散を防止し、使用後は折り畳んで平らにし、便座下または便座上に収納できる。また、ビニールカバーを、汚染状況により取り換えることで、衛生的に使用できる。
【考案を実施するための最良の形態】
【０００６】
洋式便器の器台に着脱可能に付設できる「固定枠」１を固定し、「固定枠」１に伸縮自在の「支柱」２が取り付けてあり、その上に「持ち上げ枠」３が固定されてある。「持ち上げ枠」３を持ち上げ伸ばすことにより、「持ち上げ枠」３と「固定枠」１の間に着脱可能に付設している円筒形の「ビニールカバー」４が伸ばされ尿の飛散を防止する。使用後は、「持ち上げ枠」３を押し下げる「支柱」２が畳まれて、便座下または便座上に平らな状態で収納される。
【実施例】
【０００７】
以下、添付図面に従って一実施例を説明する。「固定枠」１は耐久性のプラスチックス等の素材でできており、板状の平らな便座サイズの枠で、器台上または便座上に固定し、「固定枠」１に蝶番等で伸縮自在の折り畳みできるようにした板状の「支柱」２と、板状の平らな便座サイズの枠で左右に取っ手を付けたもの「持ち上げ枠」３が接続されており、「持ち上げ枠」３と「固定枠」１の間の内面に「ビニールカバー」４を粘着テープ等で装着して使用する。
【０００８】
使用時は「持ち上げ枠」３を持ち上げ、装着されている「ビニールカバー」４を伸ばして尿飛散を防止する。
【０００９】
収納は、「持ち上げ枠」３を押し下げて伸縮自在の「支柱」２と「ビニールカバー」４を折り畳んで器台上または便座上に平らに収納する。
【図面の簡単な説明】
【００１０】
【図１】本考案の斜視図
【図２】本考案の側面図
【図３】尿飛散防止装置の収納時側面図
【符号の説明】
【００１１】
１  固定枠
２  伸縮自在の支柱
３  持ち上げ枠
４  尿飛散防止カバー
５  器台
６  便座
７  フタ
【図１】
0003141496.tif 000003
【図３】
0003141496.tif 000004
【図２】
0003141496.tif 000005
(57)【要約】【課題】通勤時や職場またはプライベートでドライアイ防止用保湿具を使用する場合、ドライアイ防止用保湿具自体が目立ち過ぎてしまうこと等の解消。【解決手段】テンプルが太い眼鏡や伊達眼鏡のテンプルや智の内側へ貼り付けられるドライアイ防止用保湿具１０により、この課題を解決する。【選択図】図１
0003141467.tif 000002
【実用新案登録請求の範囲】
【請求項１】
水分を保持するために設けられた吸水性のある素材と、この吸水性のある素材の片側側面にだけ設けられ、太いテンプルの眼鏡や伊達眼鏡において、テンプルの内側や智の内側へ貼り付けるための接着部と、を備えたドライアイ防止用保湿具。
【考案の詳細な説明】
【技術分野】
【０００１】  本考案は、ドライアイを防止するための保湿具である。
【背景技術】
【０００２】  従来のドライアイ防止用保湿具は、目のまわり全体を覆うゴーグルタイプが多かった。
【考案の開示】
【考案が解決しようとする課題】
【０００３】  しかし、これでは、通勤時や職場またはプライベートで使用する場合、目立ち過ぎるため、使用しづらかった。
【課題を解決するための手段】
【０００４】  そこで、通勤時、職場またはプライベートでも目立たずに使用できるドライアイ防止用保湿具を考案した。このドライアイ防止用保湿具は、テンプルが太い眼鏡や伊達眼鏡のテンプルや智の内側へ貼り付けるため、正面や側面から見てもドライアイ防止用保湿具が目立たない。
【考案の効果】
【０００５】  よって、本考案のドライアイ防止用保湿具により、通勤時や職場またはプライベートでも、普通の眼鏡や伊達眼鏡と変らず、かつ、目立たずに目を保湿できるようになる。また、太いテンプルの眼鏡や伊達眼鏡であれば、本考案のドライアイ防止用保湿具を使用できるため、選択できる眼鏡フレームの数が多く、自分好みの眼鏡フレームでドライアイ対策を実施できるようになる。
【考案を実施するための最良の形態】
【０００６】  本考案に係るドライアイ防止用保湿具１０は、図５に示すように、保水部１と接着部２を備えている。保水部１が保持している水分が自然蒸発し目を保湿するため、保水部１は綿など、吸水性のある素材が望ましい。また、保水部１が乾いた場合、スポイトなどで水分を補給するとよい。接着部２はテンプルや智の内側に固定しておく必要があるため、粘着する素材が望ましい。次にドライアイ防止用保湿具１０の大きさについて説明する。まず、図１に示すように、ドライアイ防止用保湿具１０をテンプルの内側だけに使用する場合だが、ドライアイ防止用保湿具１０の縦幅ｘ１は、テンプルの幅を超えると、ドライアイ防止用保湿具１０が外部から見えてしまうため、縦幅ｘ１はテンプルの幅よりやや短い幅が望ましい。ドライアイ防止用保湿具１０の横幅ｙ１は、長くしすぎると、保水部１が肌に触れてしまう。しかし、反対に短くしすぎると、保湿できる時間が短くなってしまう。このため、その中間の長さが望ましい。図５に示すように、ドライアイ防止用保湿具１０の高さｚは、高すぎると、保水部１が肌に触れてしまう。しかし、反対に低くしすぎると保湿できる時間が短くなってしまう。このため、その中間の高さが望ましい。次に、図２に示すように、智の内側に使用する場合だが、ドライアイ防止用保湿具１０の縦幅ｘ２は、智の幅を超えると、ドライアイ防止用保湿具１０が外部から見えてしまうため、縦幅ｘ２は智の幅よりやや短い幅が望ましい。ドライアイ防止用保湿具１０の横幅ｙ２は、長くしすぎると、保水部１がレンズに触れてしまう。しかし、反対に短くしすぎると保湿できる時間が短くなってしまう。このため、その中間の長さが望ましい。ドライアイ防止用保湿具１０の高さの説明は、テンプルの内側に使用する場合と同様である。
【図面の簡単な説明】
【０００７】
【図１】    本考案に係るドライアイ防止用保湿具を、眼鏡や伊達眼鏡のテンプルの内側だけに使用した状態の側面図である。
【図２】    本考案に係るドライアイ防止用保湿具を、眼鏡や伊達眼鏡のテンプルと智の内側両方に使用した状態の側面図である。
【図３】    本考案に係るドライアイ防止用保湿具を、眼鏡のテンプルの内側だけに使用した状態の上面図である。
【図４】    本考案に係るドライアイ防止用保湿具を、眼鏡のテンプルと智の内側両方に使用した状態の上面図である。
【図５】    図３のＡ−Ａ′の断面図である。
【符号の説明】
【０００８】１    保水部
２    接着部
３    眼鏡や伊達眼鏡のフレーム
１０  ドライアイ防止用保湿具
２０  眼鏡や伊達眼鏡
ｘ１  ドライアイ防止用保湿具の縦幅（テンプルの内側に使用する場合）
ｙ１  ドライアイ防止用保湿具の横幅（テンプルの内側に使用する場合）
ｚ    ドライアイ防止用保湿具の高さ
ｘ２  ドライアイ防止用保湿具の縦幅（智の内側に使用する場合）
ｙ２  ドライアイ防止用保湿具の横幅（智の内側に使用する場合）
【図１】
0003141467.tif 000003
【図２】
0003141467.tif 000004
【図３】
0003141467.tif 000005
【図４】
0003141467.tif 000006
【図５】
0003141467.tif 000007